(57)【要約】【課題】原稿画像の副走査方向における光源の光量の変動を除去したシェーディング補正処理を実行する画像読取装置を提供する。【解決手段】第１キャリッジ２７に、光源２３から照射される光を第１ミラー２４に反射できる位置に第２白基準板３２を配置させ、第１白基準板３１からの反射光に基づく第１基準データを、前記第２白基準板３２からの反射光に基づく第２基準データにより変更し、変更された第１基準データに基づき、原稿画像から読み取った原稿画像データを補正する【選択図】　　　　図３
2004129158.tif 000002
【特許請求の範囲】
【請求項１】
原稿載置台下に設けられた白基準板と、該白基準板及び前記原稿載置台に載置された原稿を照射する光源と、該光源による前記白基準板及び原稿からの反射光を取得する取得手段と、該取得手段が取得した前記白基準板からの反射光に基づき基準データを生成する基準データ生成手段と、前記取得手段が取得した前記原稿からの反射光に基づき画像データを生成する画像データ生成手段と、該画像データ生成手段が生成した画像データを、前記基準データ生成手段が生成した基準データに基づき補正する補正手段とを備える画像読取装置において、
前記光源が照射可能な位置に配置された第２の白基準板と、
該第２の白基準板からの反射光に基づき第２の基準データを生成する第２基準データ生成手段と、
該第２基準データ生成手段が生成した第２の基準データに基づき、前記基準データ生成手段が生成した基準データを変更する変更手段とを備え、
前記補正手段は、前記変更手段が変更した基準データに基づき、前記画像データ生成手段が生成した画像データを補正すべくなしてあることを特徴とする画像読取装置。
【請求項２】
前記取得手段は、前記第２の白基準板からの反射光を取得すべくなしてあることを特徴とする請求項１に記載の画像読取装置。
【請求項３】
前記光源の照射のための点灯からの時間を測定する計時手段を備え、
前記基準データ生成手段は、前記計時手段が所定時間を測定した時点で前記取得手段が取得した白基準板からの反射光に基づき、前記基準データを生成すべくなしてあることを特徴とする請求項１又は２に記載の画像読取装置。
【発明の詳細な説明】
【０００１】
【発明の属する技術分野】
本発明は、原稿載置台下に設けられた白基準板からの反射光により生成した基準データに基づき、読み取った画像データを補正する画像読取装置に関するものである。
【０００２】
【従来の技術】
モノクロ及びカラーの原稿画像を読み取り、読み取った画像データを記録シートに記録する複写機が普及しており、このような装置における画像読取装置は、載置ガラス等の原稿載置台上に載置された原稿に光を照射する光源と、原稿からの反射光の光路を変更するミラーと、前記光源及びミラーを移動させる移動機構と、光電変換素子を主走査方向に多数並べ、集光レンズを通してミラーからの光が入射されるＣＣＤ（Ｃｈａｒｇｅ　Ｃｏｕｐｌｅｄ　Ｄｅｖｉｃｅ　）ラインセンサ等とを備えている。
また、光源等を搭載したキャリッジを前記原稿載置台に沿って、副走査方向に移動させながら、主走査方向を長手方向とするＣＣＤラインセンサ（主走査方向と平行に配置されたＣＣＤラインセンサ）により１ラインずつ原稿画像の読み取りを行うように構成されている。
【０００３】
上述した複写機においては、１頁の画像を読み取る間に、光源の光量に変動が生じ、画像の明るさ及びカラーバランスが変動してしまうため、前記光源の光量の変動による原稿画像における明るさ等のばらつきを除去する必要があり、この光源における光量の変動を測定し、測定された光量の変動に基づいて、読み取った画像データを補正する構成を有する装置がある（例えば、特許文献１参照）。
また、原稿載置台の下部の、前記キャリッジの待機位置、即ち、キャリッジの移動開始位置の近傍に、白い板からなる白基準板を配置し、画像データの読み取り時において、前記白基準板からの反射光を取得し、この反射光による画像データを白基準データとして取得しておき、原稿画像データを取得した場合に、前記白基準データに基づき、前記原稿画像データを補正することにより、光源における光量の不均一性，ＣＣＤの各素子における感度のばらつき等を除去する装置がある（例えば、特許文献２参照）。尚、光源を消灯した状態で白基準板からの反射光を取得して黒基準データとし、該黒基準データと前記白基準データとに基づく補正処理を行う構成が一般的である。
【０００４】
【特許文献１】
特開平７−８７２８１号公報　（第３頁）
【特許文献２】
特許第２１３８６９４号公報　（第２頁）
【０００５】
【発明が解決しようとする課題】
しかし、上述したように、光源における光量の変動を測定するためには、順次光源から照射される光の光量を測定しておく必要があり、また、この光源の光量は、測定する環境条件等に伴い変化するため、測定された光源の光量が適切でない場合が生じることがある。
一方、上述した構成の画像読取装置における光源には、白色蛍光灯又は冷陰極管等が使用されており、これらの光源は、点灯後の所定時間経過後に最大光量に到達し、その後、温度の上昇とともに光量が低下していく傾向があり、例えば、原稿画像データを取得する前に生成された基準データに基づく補正処理を、１枚の原稿画像データに対して行った場合、１枚の原稿において、副走査方向の明るさ及びカラーバランスの不均一が生じ、原稿画像を正しく読み取れないという問題があった。
【０００６】
本発明は斯かる事情に鑑みてなされたものであり、光源が照射可能な位置に第２の白基準板が配置されており、該第２の白基準板からの反射光に基づき生成された第２の基準データにより、原稿載置台下に設けられた白基準板からの反射光に基づき生成された基準データを変更し、変更された前記基準データに基づき、原稿画像から読み取った原稿画像データを補正することにより、１枚の原稿画像を読み取る際の副走査方向についての光源の光量の変動に伴い、原稿画像データに対する補正処理における基準データを変更する画像読取装置を提供することを目的とする。
【０００７】
本発明の他の目的は、光源の反射光を取得する取得手段が、第２の白基準板からの反射光も取得すべくなしてあることにより、原稿からの反射光の取得と同時に、第２の白基準板からの反射光を取得することができ、１枚の原稿画像における副走査方向についての光源の光量の変動を順次取得することができ、この光源の光量の変動を含んだ第２の基準データに基づき、原稿画像データに対する補正処理における基準データを変更することにより、副走査方向における光源の光量の変化を反映させた基準データに基づく補正処理を実行する画像読取装置を提供することにある。
【０００８】
本発明の更に他の目的は、光源の照射のための点灯から所定時間経過後に取得された、原稿載置台下に設けられた白基準板からの反射光に基づき、補正処理に用いる基準データを生成することにより、前記光源の光量が最大となる時点での前記基準データの取得が可能となり、該基準データの、前記第２の基準データに基づく変更処理が、減算処理のみにて実行される画像読取装置を提供することができる。
【０００９】
【課題を解決するための手段】
第１発明に係る画像読取装置は、原稿載置台下に設けられた白基準板と、該白基準板及び前記原稿載置台に載置された原稿を照射する光源と、該光源による前記白基準板及び原稿からの反射光を取得する取得手段と、該取得手段が取得した前記白基準板からの反射光に基づき基準データを生成する基準データ生成手段と、前記取得手段が取得した前記原稿からの反射光に基づき画像データを生成する画像データ生成手段と、該画像データ生成手段が生成した画像データを、前記基準データ生成手段が生成した基準データに基づき補正する補正手段とを備える画像読取装置において、前記光源が照射可能な位置に配置された第２の白基準板と、該第２の白基準板からの反射光に基づき第２の基準データを生成する第２基準データ生成手段と、該第２基準データ生成手段が生成した第２の基準データに基づき、前記基準データ生成手段が生成した基準データを変更する変更手段とを備え、前記補正手段は、前記変更手段が変更した基準データに基づき、前記画像データ生成手段が生成した画像データを補正すべくなしてあることを特徴とする。
【００１０】
第１発明による場合は、光源が照射可能な位置に第２の白基準板が配置されており、該第２の白基準板からの反射光に基づき生成された第２の基準データにより、原稿載置台下に設けられた白基準板からの反射光に基づき生成された基準データを変更し、変更された前記基準データに基づき、原稿画像から読み取った原稿画像データを補正することにより、１枚の原稿画像を読み取る際の副走査方向についての光源の光量の変動に伴い、原稿画像データに対する補正処理における基準データを変更することができ、読み取った原稿画像データにおける副走査方向の明るさ及びカラーバランスを均一にすることができる。
【００１１】
第２発明に係る画像読取装置は、第１発明に係る画像読取装置において、前記取得手段は、前記第２の白基準板からの反射光を取得すべくなしてあることを特徴とする。
【００１２】
第２発明による場合は、光源の反射光を取得する取得手段が、第２の白基準板からの反射光も取得すべくなしてあることにより、原稿からの反射光の取得と同時に、第２の白基準板からの反射光を取得することができ、１枚の原稿画像における副走査方向についての光源の光量の変動を順次取得することができ、この光源の光量の変動を含んだ第２の基準データに基づき、原稿画像データに対する補正処理における基準データを変更することにより、副走査方向における光源の光量の変化を反映させた基準データに基づく補正処理を実行することができ、副走査方向の明るさ及びカラーバランスを均一にすることができる。
【００１３】
第３発明に係る画像読取装置は、第１又は第２発明に係る画像読取装置において、前記光源の照射のための点灯からの時間を測定する計時手段を備え、前記基準データ生成手段は、前記計時手段が所定時間を測定した時点で前記取得手段が取得した白基準板からの反射光に基づき、前記基準データを生成すべくなしてあることを特徴とする。
【００１４】
第３発明による場合は、光源の照射のための点灯から所定時間経過後に取得された、原稿載置台下に設けられた白基準板からの反射光に基づき、補正処理に用いる基準データを生成することにより、前記光源の光量が最大となる時点での前記基準データの取得が可能となり、該基準データの、前記第２の基準データに基づく変更処理が、減算処理のみにて実行され、前記基準データを補正するために必要な回路が減算回路のみとなり、回路を簡略化できるとともに、回路規模を減少させることができる。
【００１５】
【発明の実施の形態】
以下に、本発明に係る画像読取装置を、該画像読取装置を備える複写機における実施の形態に基づいて詳述する。図１は本発明に係る画像読取装置を備える複写機の構成を示すブロック図であり、図中１は複写機を示している。
この複写機１は、制御部１０，ＲＯＭ１１，ＲＡＭ１２，画像読取装置２，表示部１３，操作部１４，画像メモリ１５，記録部１６等を備えている。
制御部１０は、具体的にはＣＰＵ（Ｃｅｎｔｒａｌ　Ｐｒｏｃｅｓｓｉｎｇ　Ｕｎｉｔ）　等で構成され、バスを介して複写機１の上述したようなハードウェア各部と接続されており、それらを制御すると共に、ＲＯＭ１１に格納されたコンピュータプログラムに従って、種々のソフトウェア的機能を実行する。
【００１６】
ＲＯＭ１１は、本実施の形態に係る複写機１の動作に必要な種々のコンピュータプログラムを記憶している。
ＲＡＭ１２は、ＳＲＡＭ又はフラッシュメモリ等で構成され、制御部１０による各プログラムの実行時に発生するデータを一時的に記憶する。尚、ＲＡＭ１２にフラッシュメモリを使用した場合には、停電，複写機１の移動等のために電源が遮断された場合であっても、記憶内容が失われることはない。
【００１７】
表示部１３は、液晶ディスプレイ（ＬＣＤ）で構成されており、複写機１の動作状況、操作部１４から入力された文字等を表示する。
操作部１４は、複写機１を操作するために必要な各種キーを備えている。尚、表示部１３をタッチパネル方式のものとすることにより、操作部１４の各種のキーのうちの一部又は全部を代用することも可能である。
【００１８】
画像メモリ１５は、ＤＲＡＭ等により構成されており、画像読取装置２により読み取られ、圧縮の処理を施された画像データを記憶する。
記録部１６は、電子写真方式のプリンタ装置であって、出力すべき画像データを、ハードコピーとしてＡ３縦，Ｂ４縦，Ａ４縦，Ｂ５横及びＡ５横等の各サイズの記録紙又はＯＨＰ（Ｏｖｅｒ　Ｈｅａｄ　Ｐｒｏｊｅｃｔｏｒ）　シートから最適なサイズのものを選択して記録する。
【００１９】
図２は画像読取装置２を示す概観斜視図であり、この画像読取装置２は、直方体型の筺体２１と、筺体２１上面の一辺に開閉自在に取り付けられたプラテンカバー２０と、筺体２１上面に設けられた長方形型の載置ガラス（原稿載置台）２２とを備えている。
この画像読取装置２は、ＦＢＳ（Ｆｌａｔ　Ｂｅｄ　Ｓｃａｎｎｅｒ）方式の読み取りが可能であるが、ＡＤＦ（Ａｕｔｏｍａｔｉｃ　Ｄｏｃｕｍｅｎｔ　Ｆｅｅｄｅｒ）　方式を備えて、原稿を自動的に搬送して読み取ることも可能である。また、ＡＤＦ方式で原稿を読み取る場合は、プラテンカバー２０を閉じて、プラテンカバー２０上の図示しない原稿セット部に原稿束をセットし、１枚ずつ原稿を分離して取り込みながら読み取りを行う。
【００２０】
一方、ＦＢＳ方式で原稿を読み取る場合は、プラテンカバー２０を開けて原稿を載置ガラス２２上に載置し、プラテンカバー２０を閉じて、載置ガラス２２上に原稿が静止した状態で読み取りを行う。
図３は画像読取装置２の筺体２１の内部構成図であり、筺体２１の内部の構成を、図２において矢符Ａで示す方向から見た図を示している。筺体２１は、載置ガラス２２を備える上面板の内側に、矢符ｙで示す方向（副走査方向）での載置ガラス２２の一端辺（図２においては左側端辺）に沿って、白い板からなる第１白基準板３１が、長手方向を図２の矢符ｘで示す方向（主走査方向）に平行に配置してある。
【００２１】
また、筺体２１の内部には、白色蛍光灯又は冷陰極管等からなり、載置ガラス２２上に載置された原稿に光を照射する光源２３と、原稿からの反射光の光路ｚを変更する板状の第１ミラー２４，第２ミラー２５及び第３ミラー２６とを、夫々所定の位置で、長手方向を主走査方向に平行に配置してある。
光源２３及び第１ミラー２４は、副走査方向に、載置ガラス２２の一端部から他端部までの移動が可能な第１キャリッジ２７に搭載されており、第２ミラー２５及び第３ミラー２６は、第１キャリッジ２７の移動に対応して、副走査方向に、載置ガラス２２の中央部から前記他端部までの移動を行う第２キャリッジ２８に搭載されている。また、第１キャリッジ２７には、光源２３から照射される光を第１ミラー２４に反射できる位置に正方形状の第２白基準板（第２の白基準板）３２が備えてあり、この第２白基準板３２は、第１キャリッジ２７の移動に伴い、主走査方向の載置ガラス２２の一端辺（図２においては下側端辺）に沿って、載置ガラス２２の内側の原稿読み取り範囲外を移動する。
【００２２】
更に、筺体２１の内部には、第１ミラー２４，第２ミラー２５及び第３ミラー２６により光路ｚが変更された原稿からの反射光を集光する集光レンズ２９を備え、該集光レンズ２９を通して入射される前記反射光を取得する取得手段としてＣＣＤ（Ｃｈａｒｇｅ　Ｃｏｕｐｌｅｄ　Ｄｅｖｉｃｅ）　ラインセンサ３０も、長手方向を主走査方向に平行に配置してある。
このような構成により、画像読取装置２は、第１キャリッジ２７及び第２キャリッジ２８を副走査方向に移動させながら、主走査方向を長手方向としたＣＣＤラインセンサ３０により副走査方向に１ラインずつ原稿画像の読み取りを行う。
【００２３】
図４は画像読取装置２の筺体２１の内部構成図であり、筺体２１の内部構成を上方から見た図を示している。尚、図４においては、第２ミラー２５及び第３ミラー２６を省略しており、夫々第２ミラー２５及び第３ミラー２６により反射されることにより方向が変更された光路ｚを一直線で示している。
主走査方向（図４において矢符ｘで示す方向）を長手方向として配置された第１キャリッジ２７は、載置ガラス２２上に載置された原稿（図示せず）の下面に沿って副走査方向に移動しながら、原稿により反射された反射光を第１ミラー２４により更に反射する。また、この反射光を第２ミラー２５及び第３ミラー２６により反射させて所定の光路ｚに変更し、この所定の光路ｚで入射された光を集光レンズ２９を介してＣＣＤラインセンサ３０が取得する。尚、ＣＣＤラインセンサ３０は、取得した光の大きさに基づきアナログ信号を生成し、このアナログ信号を図５に示すＡＦＥ（Ａｎａｌｏｇ　Ｆｒｏｎｔ　Ｅｎｄ：アナログ・フロント・エンド）３３に入力する。
【００２４】
主走査方向に、図４中Ｂで示す幅は、載置ガラス２２の主走査方向の幅であり、載置ガラス２２上に載置された原稿を読み取ることが可能である原稿読取幅を示している。また、図中Ｃで示す幅は、集光レンズ２９を介してＣＣＤラインセンサ３０により取得できる光源２３からの光の幅であり、光源２３からの光におけるＣＣＤ読取可能幅を示しており、図に明らかなように、光源２３及び第１ミラー２４は、読み取るべき原稿の主走査方向の幅よりも余裕のある長さを有している。尚、第２ミラー２５及び第３ミラー２６も、第１ミラー２４と同等の長さを有している。
第１キャリッジ２７に設けられた第２白基準板３２は、第１キャリッジ２７の移動に伴い載置ガラス２２の内側の原稿読み取り範囲外を移動できる位置に搭載されており、これにより、第２白基準板３２に反射された光源２３からの光は、原稿からの反射光とともに、第１キャリッジ２７及び第２キャリッジ２８の移動に従い、第１ミラー２４，第２ミラー２５及び第３ミラー２６に反射され、集光レンズ２９を介してＣＣＤラインセンサ３０に取得される。
【００２５】
一方、ＣＣＤラインセンサ３０は、第１キャリッジ２７及び第２キャリッジ２８が移動を開始する所定時間前から、光源２３から照射された光を取得しており、これにより、筺体２１の上面内側に設けられた第１白基準板３１からの反射光も取得している。
従って、上述したように、ＣＣＤラインセンサ３０により取得された反射光には、載置ガラス２２上に載置された原稿からの反射光，第１白基準板３１からの反射光及び第２白基準板３２からの反射光が含まれており、このＣＣＤラインセンサ３０により取得された反射光を後述するＡＦＥ３３及びＡ／Ｄ変換器３４に入力することにより、ＡＦＥ３３及びＡ／Ｄ変換器３４は、原稿からの反射光に基づく原稿画像データを生成する画像データ生成手段と、第１白基準板３１からの反射光に基づく第１基準データを生成する基準データ生成手段と、第２白基準板３２からの反射光に基づく第２基準データ（第２の基準データ）を生成する第２基準データ生成手段として動作し、原稿画像データ，第１基準データ及び第２基準データを含んだデジタル信号を生成する。
【００２６】
図５は画像読取装置２の構成を示すブロック図であり、この画像読取装置２は、図２及び図３に示す各構成部の他、ＡＦＥ３３と、Ａ／Ｄ（アナログ／デジタル）変換器３４と、シェーディング補正部（補正手段）３５と、変更値算出部３６と、シェーディングデータ生成部３７と、減算器３８と、黒カウンタ３９と、白カウンタ４０とを備えている。
ＣＣＤラインセンサ３０は、複写機１の制御部１０から、第１ミラー２４，第２ミラー２５及び第３ミラー２６により反射された反射光を受光し、アナログ信号として出力するタイミングを制御される読取信号が入力されており、この読取信号のタイミングに基づき読み取ったアナログ信号をＡＦＥ３３に入力する。
【００２７】
ＡＦＥ３３は、増幅回路（図示せず），サンプルホールド回路（図示せず）等を備え、ＣＣＤラインセンサ３０により出力されたアナログ信号を、増幅回路により所定の大きさに増幅し、この増幅されたアナログ信号を、サンプルホールド回路により一定のタイミング毎にサンプルホールドし、この各値をＡ／Ｄ変換器３４に入力する。
Ａ／Ｄ変換器３４は、ＡＦＥ３３から取得したアナログ信号をデジタル信号に変換し、シェーディング補正部３５，変更値算出部３６及びシェーディングデータ生成部３７に入力する。尚、本実施の形態においては、Ａ／Ｄ変換器３４は、８ビットのデジタル信号を出力しており、このデジタル信号には、原稿からの反射光に基づく原稿画像データ，第１白基準板３１からの反射光に基づく第１基準データ及び第２白基準板３２からの反射光に基づく第２基準データが含まれている。
【００２８】
シェーディング補正部３５は、取得したデジタル信号に含まれる原稿画像データに対して、画像読取装置２に含まれる照明系，結像系及び撮像系で生じた各種の歪みを取り除く補正処理を行い、補正された画像データを圧縮して画像メモリ１５に記憶させる。
シェーディングデータ生成部３７は、取得したデジタル信号に含まれる第１基準データに基づき、シェーディング補正部３５により行われる補正処理に用いるシェーディングデータを生成する。尚、このシェーディングデータには、黒データ及び白データがあり、黒データは、光源２３の消灯時において取得した第１基準データに基づき生成され、白データは、光源２３の点灯時において取得した第１基準データに基づき生成される。
【００２９】
シェーディングデータ生成部３７には、黒カウンタ３９及び白カウンタ４０からの出力が入力されており、各カウンタ３９，４０からの入力に従い、シェーディングデータ生成部３７は、黒データ及び白データを生成すべき第１基準データをＡ／Ｄ変換器３４から取得する。
尚、黒カウンタ３９及び白カウンタ４０には、制御部１０からＣＣＤラインセンサ３０に与えられる読取信号が入力されており、この読取信号の１周期単位でカウントする。また、黒カウンタ３９及び白カウンタ４０には、制御部１０が光源２３の点灯を制御すべく光源２３に入力する点灯信号も夫々入力されており、この点灯信号の取得に従い、０から所定値までのカウントを開始し、所定値をカウントするまで、例えば０をシェーディングデータ生成部３７に入力する。
【００３０】
これにより、シェーディングデータ生成部３７は、黒カウンタ３９からの入力が０である時点に、Ａ／Ｄ変換器３４から取得した複数の第１基準データの平均値を算出し、この平均値を黒データＫとし、また、白カウンタ４０からの入力が０である時点に、Ａ／Ｄ変換器３４から取得した複数の第１基準データの平均値を算出し、この平均値を白データＷとする。
このように生成された黒データＫ及び白データＷはシェーディング補正部３５に入力され、また、白データＷは更に減算器３８に入力される。
【００３１】
本実施の形態では、黒カウンタ３９は、光源２３の点灯前にカウント処理を行うべく制御部１０に制御されており、シェーディングデータ生成部３７は、光源２３の点灯前にＣＣＤラインセンサ３０により取得された第１基準データに基づき黒データＫを生成する。
また、白カウンタ４０は、光源の点灯後にカウント処理を行うべく制御部１０に制御されており、シェーディングデータ生成部３７は、光源２３の点灯時に取得された第１基準データに基づき白データＷを生成する。
【００３２】
ここで、光源２３は、白色蛍光灯又は冷陰極管等により構成されており、点灯後、所定時間経過後に最大光量に到達し、その後、温度の上昇とともに光量が低下していく傾向があるため、本実施の形態では、シェーディングデータ生成部３７は、光源２３からの光が最大光量である光による第１白基準板３１からの反射光に基づき、白データＷを生成する。尚、光源２３において、照射時点から最大光量となるまでの時間は予め取得されており、制御部１０が、光源２３の照射時から前記時間を測定する計時手段として機能することにより、シェーディングデータ生成部３７は、光源２３からの光が最大光量である光による第１白基準板３１からの反射光に基づき、白データＷを生成することができる。
図６は光源２３の点灯時からの時間の経過による光量の変化を表すグラフを示しており、このグラフは、横軸に時刻を、縦軸に光源２３の光量を夫々示している。図中Ｔは光源２３の点灯時刻を示しており、図に示すように、光源２３は、点灯時刻Ｔから、所定時間ｔ１　経過後の時刻Ｔ＋ｔ１　に最大光量に到達し、その後、温度の上昇とともに光量が低下していく傾向がある。
【００３３】
このように、光源２３の光量は、時間の経過に伴い低下していくため、１回の画像の読取処理において、副走査方向における光源２３の光量にばらつきが生じることになる。そこで、本実施の形態では、上述のように光源２３からの光が最大光量である光に基づき生成された白データＷを、光源２３の光量の減衰に基づき変更する必要があり、そのための変更値Ｗｖを、変更値算出部３６により算出し、算出された変更値Ｗｖに基づき変更された白データ（Ｗ−Ｗｖ）に基づく補正処理を行うこととする。
変更値算出部３６は、Ａ／Ｄ変換器３４から取得したデジタル信号に含まれる第２基準データに基づき、上述のように算出したシェーディングデータのうちの白データＷを調整するための変更値Ｗｖを算出する。
【００３４】
変更値算出部３６が取得する第２基準データは、光源２３の副走査方向における光量のばらつき（減衰）を含んでおり、順次取得する第２基準データについて、副走査方向に所定数の第２基準データの平均値を算出し、この平均値を、次の所定数のラインについて、シェーディング補正部３５が行う補正処理に用いるシェーディングデータを変更させるための変更値Ｗｖとし、副走査方向について、変更値Ｗｖを順次算出する。
【００３５】
シェーディングデータ生成部３７により算出されたシェーディングデータ（黒データＫ及び白データＷ）及び変更値算出部３６により算出された変更値Ｗｖは、夫々減算器３８に入力され、減算器３８は、以下の（１）式に従い、取得したシェーディングデータの白データＷが示す値から変更値Ｗｖを減算する変更手段として動作し、算出された減算値ΔＥをシェーディング補正部３５に入力する。これにより、シェーディング補正部３５は、取得した減算値ΔＥ及びシェーディングデータ生成部３７により入力されたシェーディングデータの白データＷに基づき、Ａ／Ｄ変換器３４から取得した原稿画像データに対して、副走査方向における光源２３の光量のばらつきを除去したシェーディング補正処理を行うことができる。尚、シェーディング補正部３５は、例えば以下のような（２）式に基づいた補正処理を行う。
【００３６】
ΔＥ　＝　Ｗ　−　Ｗｖ　　　…（１）
Ｖｏｕｔ＝（Ｖｉｎ−Ｋ）×２５５／｛（Ｗ−ΔＥ）−Ｋ｝　…（２）
Ｖｉｎ：補正前の画像データ，Ｖｏｕｔ：補正後の画像データ
【００３７】
上述のように、光源２３による第１白基準板３１からの反射光に基づくシェーディングデータの白データＷを、第２基準板３２からの反射光に基づく変更値Ｗｖにより変更することにより、副走査方向における光源２３の光量の減衰に基づく白データ（Ｗ−Ｗｖ）を順次生成することができ、この白データ（Ｗ−Ｗｖ）に基づくシェーディング補正処理を行うことにより、１枚の原稿画像の副走査方向における光源２３の光量のばらつきも同時に補正することができる。
尚、この実施の形態では、モノクロのスキャナについて説明しているが、本発明はカラーのスキャナにおいても同様に適用することが可能である。
【００３８】
【発明の効果】
第１発明による場合は、光源が照射可能な位置に第２の白基準板が配置されており、該第２の白基準板からの反射光に基づき生成された第２の基準データにより、原稿載置台下に設けられた白基準板からの反射光に基づき生成された基準データを変更し、変更された前記基準データに基づき、原稿画像から読み取った原稿画像データを補正することにより、１枚の原稿画像を読み取る際の副走査方向についての光源の光量の変動に伴い、原稿画像データに対する補正処理における基準データを変更することができ、読み取った原稿画像データにおける副走査方向の明るさ及びカラーバランスを均一にすることができる。
【００３９】
第２発明による場合は、光源の反射光を取得する取得手段が、第２の白基準板からの反射光も取得すべくなしてあることにより、原稿からの反射光の取得と同時に、第２の白基準板からの反射光を取得することができ、１枚の原稿画像における副走査方向についての光源の光量の変動を順次取得することができ、この光源の光量の変動を含んだ第２の基準データに基づき、原稿画像データに対する補正処理における基準データを変更することにより、副走査方向における光源の光量の変化を反映させた基準データに基づく補正処理を実行することができ、副走査方向の明るさ及びカラーバランスを均一にすることができる。
【００４０】
第３発明による場合は、光源の照射のための点灯から所定時間経過後に取得された、原稿載置台下に設けられた白基準板からの反射光に基づき、補正処理に用いる基準データを生成することにより、前記光源の光量が最大となる時点での前記基準データの取得が可能となり、該基準データの、前記第２の基準データに基づく変更処理が、減算処理のみにて実行され、前記基準データを補正するために必要な回路が減算回路のみとなり、回路を簡略化できるとともに、回路規模を減少させることができる。
【図面の簡単な説明】
【図１】本発明に係る画像読取装置を備える複写機の構成を示すブロック図である。
【図２】画像読取装置を示す概観斜視図である。
【図３】画像読取装置の筺体の内部構成図である。
【図４】画像読取装置の筺体の内部構成図である。
【図５】画像読取装置の構成を示すブロック図である。
【図６】光源の点灯時からの時間の経過による光量の変化を表すグラフである。
【符号の説明】
１　複写機
２　画像読取装置
２３　光源
３０　ＣＣＤラインセンサ（取得手段）
３１　白基準板
３２　第２白基準板（第２の白基準板）
３５　シェーディングデータ補正部（補正手段）
３６　変更値算出部（変更手段）
【図１】
2004129158.tif 000003
【図２】
2004129158.tif 000004
【図３】
2004129158.tif 000005
【図４】
2004129158.tif 000006
【図５】
2004129158.tif 000007
【図６】
2004129158.tif 000008